(57)【要約】本発明は、ネック（１４）が設けられた容器（１２）を処理するための機械であって、この機械は、ニップル（２２）が設けられた少なくとも１つの処理ステーション（１１）を有し、この処理ステーションは、容器を捉えるための把持手段（２６）を有し、この把持手段は、各々が、内側の把持位置と外側の開放位置との間で径方向に可動なボール（５４）を受容することを目的としている、一連の径方向のドリル孔（５２）が設けられている管状の支持カフ（５０）を有している、機械において、把持手段は、管状の制御カフ（５６）を有し、この制御カフは、ボールにこれらボールの把持位置へと圧力をかけるためにこれらボールと協働するロックされた位置と、ロック解除された位置との間を、摺動可能に取り付けられており、また、ニップルは、制御カフを摺動させることができる制御された駆動手段（６２）を有することを特徴とする機械に関する。
2008508422.tif 000002
【特許請求の範囲】
【請求項１】
特に、酸化しやすい液体を容器（１２）に封入することを可能とするという目的のための、マイクロ波プラズマにより、防護を形成する内部塗料を堆積することによる、容器（１２）の処理のための機械（１０）であって、この機械は、ネック（１４）が設けられた容器（１２）のための少なくとも１つの処理ステーション（１１）を具備し、各処理ステーション（１１）は、この容器（１２）をこの容器のネック（１４）で外部から捉えるための把持手段と、この容器（１２）の内部を漏れが生じないように真空ポンプ回路（３０）に接続するための接続手段とを有し、この機械は、前記ニップル（２２）が、処理用の筐体（３４）に対してほぼ垂直な軸（Ａ１）に沿って、軸方向の搬送位置と軸方向の処理位置との間を、前記容器（１２）を前記処理用の筐体（３４）の中に対応する開口部（３８）を介して軸方向に挿入することが可能となるように、摺動可能に取りつけられているタイプで、前記ニップル（２２）は、前記処理用筐体の開口部（３８）を閉鎖するために、漏れが生じないように前記処理用の筐体（３４）の対応する部分（３６）に軸方向に支持される環状の閉鎖部分（４０）を有し、この機械は、前記把持手段（２６）が、前記容器（１２）のネック（１４）と同心状であり、前記ニップル（２２）に固定されており、また、前記把持手段には、一連の開口した径方向のドリル孔（５２）が設けられ、各々のドリル孔は、内側の把持位置と外側の開放位置との間で径方向に可動なボール（５４）を受容することを目的としており、前記把持位置では、このボール（５４）は、前記ネック（１４）と協働して前記容器（１２）を捉える、機械において、前記把持手段（２６）は、管状の制御カフ（５６）を有し、この制御カフは、前記支持カフ（５０）と同心状であり、この支持カフの外側にあり、この制御カフ（５６）の凹面の軸方向壁に配置されている円錐台形状の支持面（５８）が、前記ボール（５４）にこれらボールの把持位置へと圧力をかけるためにこれらボールと協働するロックされた軸方向位置と、これらボール（５４）がこれらボールの開放位置に向かって自由に移動するロック解除された軸方向位置との間を、前記支持カフ（５０）に対して軸方向に摺動可能に取り付けられており、また、前記ニップル（２２）は、前記制御カフ（５６）をその２つの特定の軸方向位置の少なくとも一方に向けて軸方向に摺動させることができる制御された駆動手段（６２）を有することを特徴とする機械（１０）。
【請求項２】
前記把持手段（２６）は、前記制御カフ（５６）にそのロックされた位置に向けて圧力をかける少なくとも１つの弾性的な戻り部材（６４）を有し、また、前記駆動手段（６２）は、この弾性的な戻り部材（６４）に反して、前記制御カフ（５６）をそのロックされた位置からそのロック解除された位置に向けて摺動させることを目的としていることを特徴とする請求項１に記載の機械（１０）。
【請求項３】
前記戻り部材（６４）は、前記制御カフ（５６）と支持カフ（５０）との間に軸方向に入れられていることを特徴とする前記全ての請求項のいずれか１に記載の機械（１０）。
【請求項４】
前記駆動手段（６２）は、少なくともロック解除の方向に、前記制御カフ（５６）に軸方向に摺動可能に接続されているピストン（９２）が設けられている、空気圧式又は液圧式のジャッキを有していることを特徴とする前記全ての請求項のいずれか１に記載の機械（１０）。
【請求項５】
前記ピストン（９２）は、管状のカフから構成され、このカフは、前記制御カフ（５６）と同心状であり、この制御カフの外部にあり、この制御カフ（５６）の関連する径方向支持面（８０）に軸方向に支持される径方向面（９４）を有していることを特徴とする請求項４に記載の機械（１０）。
【請求項６】
前記制御カフ（５６）は、代替可能なサブ組立体（１０１）を形成するように、複数の前記ボール（５４）が設けられた前記支持カフ（５０）に、組み立てられていることを特徴とする前記全ての請求項のいずれか１に記載の機械（１０）。
【請求項７】
前記ニップル（２２）は、前記処理用の筐体（３４）に対して軸方向に摺動可能に取りつけられ、上部キャップ（４２）と下部キャップ（４４）とを有しているカバー（３２）により支持されているタイプの機械において、前記支持カフ（５０）は、前記代替可能なサブ組立体（１０１）を前記カバーに保持するように、前記カバー（３２）の前記上部キャップと下部キャップとの間に軸方向にクランプされる外側の径方向カラー（８４）を前記ネック（１４）に対向する軸方向端に有していることを特徴とする請求項６に記載の機械（１０）。
【請求項８】
漏れが生じない前記接続手段（２８）が、ほぼ管状のカートリッジ（１０４）を有し、このカートリッジは、前記容器（１２）のネック（１４）と同心状であり、前記カバー（３２）に取り付けられ、また、このカートリッジには、その軸方向端の一方に、環状の封止部（１２８）が設けられ、また、前記支持カフ（５０）の凹面の軸方向壁は、この環状の封止部（１２８）に軸方向に支持されることを目的とする肩部（５９）を有していることを特徴とする前記全ての請求項のいずれか１に記載の機械（１０）。
【請求項９】
前記容器（１２）のネック（１４）は、外側の径方向カラー（１８）を有し、また、前記ボール（５４）がこれらボールの把持位置に向かって径方向に移動する場合、これらボールは、前記容器（１２）に軸方向に前記環状の封止部（１２８）に向けて圧力をかけるように、前記外側の径方向カラー（１８）と協働することを特徴とする請求項８に記載の機械（１０）。
【請求項１０】
前記外側の径方向カラー（１８）は、前記容器の不正開封防止リングからなることを特徴とする請求項９に記載の機械（１０）。
【発明の詳細な説明】
【技術分野】
【０００１】
本発明は、ボトル、フラスコなどのようなネックが設けられた複数の容器を処理するための機械に関する。  
本発明は、より具体的には、特に酸化しやすい液体を容器に封入することを可能とするという目的のための、マイクロ波プラズマにより、防護を形成する内部塗料を堆積することによる、上述のタイプの容器の処理のための機械であって、この機械は、ネックが設けられた容器のための少なくとも１つの処理ステーションを有し、各処理ステーションは、この容器をこの容器のネックで外部から捉えるための把持手段と、この容器の内部を漏れが生じないように真空ポンプ回路に接続するための手段とを有し、この機械は、ニップルが摺動可能に、処理用の筐体に対してほぼ垂直な軸に沿って、軸方向の搬送位置と軸方向の処理位置との間を、前記容器を前記筐体の中に対応する開口部を介して軸方向に挿入することが可能となるように、取りつけられているタイプで、前記ニップルは、前記筐体の開口部を閉鎖するために、漏れが生じないように前記筐体の対応する部分に軸方向に支持される環状の閉鎖部分を有し、この機械は、前記把持手段が、前記容器のネックと同心状であり、前記ニップルに固定されており、また、前記把持手段には、一連の開口したドリル孔が設けられ、各々のドリル孔は、内側の把持位置と外側の開放位置との間で径方向に可動なボールを受容することを目的としており、前記把持位置では、このボールは、前記ネックと協働して前記容器を捉える、機械に関する。
【背景技術】
【０００２】
このタイプの機械では、容器は一般的に直立して配置される、すなわち、前記ネックを上に向けて配置され、前記ニップルは、把持段階の間、この容器を捉えるために、開放段階の間、前記筐体の中に底部から上方にこの容器を搬送し、この容器を取り外し開放するために、上から下方に向かって軸方向に摺動する。
【０００３】
前記ニップルの中に取り付けられるボールは、弾性部材から形成されているＯリングにより前記容器のネックに対して径方向に圧力をかけられる。
【０００４】
ニップルが、このようなタイプの把持手段を備えていると、前記容器の把持は、以下のように力嵌めにより行われる。前記把持段階の間、前記ニップルは、この容器のネックをこのニップルの中に挿入することを可能とするように、前記Ｏリングにより複数の前記ボールに印加された弾性的な戻り力に逆向きに、これらボールを径方向外側に反発するために、この容器に軸方向の力を上から下向きにかける。
【０００５】
この容器は、それから、Ｏリングの張力により前記ネックに対して径方向の支持力をかける複数のボールにより、この容器のネックで捉えられる。
【０００６】
同様に、この容器を開放することは、力嵌めの解除により行われる。この開放段階の間、ボールを外側に反発し、また、前記Ｏリングによりこれらボールに印加される弾性的な戻り力に反して、この容器に対して上向きに前記ニップルを軸方向上向きに引き抜くことを可能とするように、この容器は、この容器の肩部に支持される部材により軸方向下向きに保持される。
【発明の開示】
【発明が解決しようとする課題】
【０００７】
このタイプの把持手段は、この把持手段が、把持段階の間と、開放段階の間とで容器に比較的大きな力を発生させるため、不都合な点を有する。  
さらに、この容器がネックで捉えられたとき、前記ボールは、このネックの凸面の軸方向壁に径方向の支持力を印加し、この支持力により、ネックが損傷を受けうる。  
本発明は、特に、これらの不都合な点を克服することを目的としている。
【課題を解決するための手段】
【０００８】
この目的のため、本発明は、上述のタイプの処理機械において、前記把持手段が、管状の制御カフを有し、この制御カフは、前記支持カフと同心状であり、この支持カフの外側にあり、この制御カフの凹面の軸方向壁に配置されている円錐台形状の支持面が、前記ボールにこれらボールの把持位置へと圧力をかけるためにこれらボールと協働するロックされた軸方向位置と、これらボールがこれらボールの開放位置に向かって自由に移動するロック解除された軸方向位置との間を、前記支持カフに対して軸方向に摺動可能に取り付けられており、また、前記ニップルは、前記制御カフをその２つの特定の軸方向位置の少なくとも一方に向けて軸方向に摺動させることができる制御された駆動手段を有することを特徴とする機械を提案する。
【０００９】
本発明の他の特徴によると、  
前記把持手段は、前記制御カフにそのロックされた位置に向けて圧力をかける少なくとも１つの弾性的な戻り部材を有し、前記駆動手段は、この戻り部材に反して、前記制御カフをそのロックされた位置からそのロック解除された位置に向けて摺動させることを目的としている。
【００１０】
前記戻り部材は、前記制御カフと支持カフとの間に軸方向に入れられている。  
前記駆動手段は、少なくともロック解除の方向に、前記制御カフに軸方向に摺動可能に接続されているピストンが設けられている、空気圧式又は液圧式のジャッキを有している。
【００１１】
前記ピストンは、管状のカフから構成され、このカフは、前記制御カフと同心状であり、この制御カフの外部にあり、この制御カフの関連する径方向支持面に軸方向に支持される径方向面を有している。  
前記制御カフは、複数の前記ボールが設けられた前記支持カフに、代替可能なサブ組立体を形成するように、組み立てられている。
【００１２】
前記ニップルは、前記筐体に対して軸方向に摺動可能に取りつけられ、上部キャップと下部キャップとを有しているカバーにより支持され、前記支持カフは、前記代替可能なサブ組立体を前記カバーに保持するように、前記カバーの前記上部キャップと下部キャップとの間に軸方向にクランプされる外側の径方向カラーを前記ネックに対向する軸方向端に有している。
【００１３】
漏れが生じない接続手段が、ほぼ管状のカートリッジを有し、このカートリッジは、前記容器のネックと同心状であり、前記カバーに取り付けられ、また、このカートリッジには、その軸方向端の一方に環状の封止部が設けられ、前記支持カフの凹面の軸方向壁は、この環状の封止部に軸方向に支持されることを目的とする肩部を有している。
【００１４】
前記容器のネックは、外側の径方向カラーを有し、前記ボールがこれらボールの把持位置に向かって径方向に移動する場合、これらボールは、前記容器に軸方向に前記環状の封止部に向けて圧力をかけるように、前記外側の径方向カラーと協働する。
【００１５】
本発明の他の特徴と有利な点とは、以下の詳細な説明を読むと明らかになる。この詳細な説明を理解するために、添付されている図面が参照される。
【発明を実施するための最良の形態】
【００１６】
以下の説明では、同一、類似、又は同様の部材を、同一の参照符号で指示する。  
図１は、本発明の教示に従って実行される、複数の容器１２、この場合ボトル、を処理するための機械１０を部分的に示している。  
この機械１０は、マイクロ波プラズマにより、防護を形成する内部塗料を堆積することを実行することを目的とし、特に、これら容器１２に酸化されやすい液体を封入することを可能にすることを目的としている。  
従来、機械１０は、回転する支持部（図示されていない）に周方向に一様に分布することが可能な、複数の処理ステーション１１を有し、各処理ステーション１１は、１回に１つの容器１２を処理することを目的としている。  
これらの図は、単一の処理ステーション１１を部分的に示している。
【００１７】
特に、図３で見ることができるように、各容器１２には、その軸方向の上部に、上部の開口部を規定しているネック１４が設けられ、このネックのリムは、容器１２の口のふち１６を形成している。  
このネック１４には、第１の径方向外向きのカラー１８と、この第１の外側の径方向カラー１８の下に配置されている第１の外側の径方向カラー２０とが設けられている。  
容器１２がボトルの場合、この第１の外側の径方向カラー１８は、一般にボトルのネックにある不正開封防止リングからなっていてもよく、ストッパーにある不正開封防止フェルールと協働することを目的とし、また、容器が開かれるときに断裂するならば、好都合である。
【００１８】
各処理ステーション１１は、ほぼ円筒状の形状で、摺動軸と称され固定フレーム２４に対してほぼ垂直な、機械１０の軸Ａ１に沿って摺動可能に取り付けられているニップル２２を有している。
【００１９】
この説明の残りでは、摺動軸Ａ１に沿った垂直な軸方向を、非限定的に用い、これは、図の中で上から下への方向に対応している。  
部材を、この摺動軸Ａ１に対する配置に応じて、径方向、又は横方向と指示する。
【００２０】
ニップル２２は、容器１２を外部からそのネック１４により捉えるための把持手段２６と、この容器１２の内部を漏れが生じないように真空ポンプ回路３０に接続するための接続手段２８とを有している。
【００２１】
この場合図示されている実施形態によれば、ニップル２２は、カバー３２により指示されている。このカバー３２は、図１と図３とに示されている上方の搬送位置と、図４に示されている下方の処理位置との間を、フレーム２４に軸方向に摺動可能に取りつけられている。  
これらの図は、このカバー３２の内部に配置されているポンプ用チャンバ３１からなり、接続手段２８により容器１２に接続されることを目的とするポンプ回路３０の一部を示している。
【００２２】
各処理ステーション１１は、また、フレーム２４に固定されている処理筐体３４を有している。  
この処理筐体３４は、この場合その横方向上面により形成されている部分３６に、容器１２を軸方向に処理筐体３４の中に挿入することを可能にすることを目的とする開口部３８を有している。
【００２３】
ニップル２２は、この開口部３８を閉じるように、この場合処理筐体３４の横方向上面により形成されている上記の対応する部分３６に漏れが生じないように軸方向に支持されることを目的とする環状の閉鎖部分４０を有している。
【００２４】
この場合、カバー３２は、フレーム２４に摺動可能に取りつけられている上部キャップ４２と、図１と図５とに示されている開いた取り外し位置と特に図２に示されている閉じた使用位置との間を、横方向軸Ａ２を中心として、この上部キャップ４２に対して回動可能に取りつけられている下部キャップ４４とを有している。  
この取り外し位置の使用は、後で説明される。
【００２５】
ニップル２２は、カバー３２の横方向下部面４８に軸方向上部端で固定されているほぼ円筒状の環状の本体４６を有している。  
この本体４６の横方向下部端面は、この場合、ニップル２２の環状の閉鎖部分４０を形成している。
【００２６】
把持手段２６は、ニップル２２の本体４６に固定され、管状で容器１２のネック１４に対して同心状であり、また、各々が図４に示されている内側の把持位置と図３に示されている外側の開放位置との間を径方向に移動可能なボール５４を受け入れる目的の、一連の開放された径方向の複数のドリル孔５２が設けられている支持カフ５０を有している。
【００２７】
これら径方向のドリル孔５２は、この場合ほぼ円柱状であり、これらは、各々、ボール５４のための容器を形成している。  
これら径方向のドリル孔５２が、支持カフ５０の軸方向下端の近傍に配置され、これらドリル孔が角度に関して一様に分布しているならば、好ましい。  
ボール５４が、これらボールの径方向内側の把持位置を取っている場合、これらボールは、容器１２を捉えるように、この容器１２のネック１４と協働することを目的としている。  
これらボール５４が、これらボールの径方向外側の開放位置を取っている場合、これらボールは、ニップル２２から容器１２を引き抜くことを可能とすることを目的としている。
【００２８】
この場合図示されている実施形態によれば、支持カフ５０の凹面の軸方向壁５１には、この支持カフが、隣接しそれぞれの内径が上に向かって増加している、円筒状の軸方向下部端部分５３と、円筒状の中間部分５５と、円筒状の軸方向上部端部分５７とを有するように軸方向に段が設けられている。
【００２９】
この円筒状の軸方向下部端部分５３は、円筒状の中間部分５５で、上向きの肩部５９を規定している。  
この円筒状の中間部分５５は、円筒状の軸方向上部端部分５７で、上向きの径方向面６１を規定している。  
円筒状の軸方向下部端部分５３の軸方向の寸法が、第２の外側の径方向カラー２０から口のふち１６までの容器１２のネック１４の軸方向の寸法にほぼ等しく、この結果、この容器１２が把持手段２６により捉えられるときに、口のふち１６が、肩部５９と実質的に同じ高さで配置され、また、ボール５４が、軸方向上方に容器１２に圧力をかける目的で、第１の外側の径方向カラー１８と接触することにより協働するならば、好都合である。
【００３０】
本発明の教示に従えば、把持手段２６は、管状で、支持カフ５０と同心状でこの支持カフ５０に対して外側にある制御カフ５６を有している。  
この制御カフ５６は、図４に示されているロックされた軸方向下方位置と図３に示されているロック解除された軸方向上方位置との間を支持カフ５０に対して軸方向に摺動可能に取りつけられている。  
この制御カフ５６は、円錐台形状の支持面５８を有し、この支持面は、この制御カフの凹面の軸方向壁６０に配置され、また、制御カフ５６がそのロック解除位置からロック位置に向かって摺動するときに、径方向にボール５４の把持位置へと圧力をかけるようにこれらボールに圧力をかけるように、これらボール５４と協働することを目的としている。  
逆に、制御カフ５６がそのロック解除位置を取るときには、これらボール５４は、自由にこれらの把持位置と開放位置との間を径方向に移動する。
【００３１】
本発明の他の特性によれば、ニップル２２は、制御カフ５６を軸方向に２つの特定の位置、すなわち、ロックされた軸方向位置とロック解除された軸方向位置、の少なくとも一方に向けて摺動させることができる制御された駆動手段６２を有している。
【００３２】
把持手段２６が、軸方向にロック位置に向けて制御カフ５６に圧力をかける、少なくとも１つの弾性的な戻り部材６４を有しているならば、好都合である。
【００３３】
駆動手段６２は、制御カフ５６をこの制御カフのロック位置からロック解除位置に向けて、この弾性的な戻り部材６４に逆らって摺動させることを目的としている。  
この場合図示されている実施形態によれば、把持手段２６は、らせん状の圧縮ばね６４からなる複数の弾性的な戻り部材６４を有している。  
これらばね６４は、角度に関して一様に分布し、支持カフ５０の下に向けられた環状の径方向面６６と、制御カフ５６の一部である外側の径方向カラー７０の上面により形成されている対向する環状の径方向面６８との間に軸方向に入れられている。  
この場合、この外側の径方向カラー７０は、制御カフ５６の軸方向上部端に配置されている。  
各ばね６４は、軸方向ねじ７２を中心として巻かれている。この軸方向ねじは、制御カフ５６の外側の径方向カラー７０を通り、また、そのねじが設けられた上端７４で支持カフ５０の環状の径方向面６６の中にねじ込まれている。  
各ねじ７２は、その下方端に、制御カフ５６の外側の径方向カラー７０の下側径方向面に形成されている関連するノッチ７８に軸方向に収容されている頭部７６を有している。  
このノッチ７８の軸方向の深さは、この頭部７６の軸方向の高さよりも大きいことに明記されたい。  
各ノッチ７８は、特に図５で見られるように、径方向外側に開いている。  
さらに、制御カフ５６の外側の径方向カラー７０は、各ノッチ７８に、径方向外側に開き、また、この外側の径方向カラー７０を通して関連するねじ７２を通過させることができるスロット８２を有している。
【００３４】
支持カフ５０が、その軸方向上端で、制御カフ５６の径の外端を越えて径方向に延びている外側の径方向カラー８４を有しているならば、好都合である。  
この支持カフ５０の外側の径方向カラー８４は、下側の環状の径方向面８６を有している。この下側の環状の径方向面は、外側の径方向カラー８４が、支持カフ５０を軸方向にカバー３２に保持する目的で、上部キャップ４２と、カバー３２の下部キャップ４４との間に軸方向にクランプされることができるように、下部キャップ４４の横方向上面８８に軸方向に支持されることを目的としている。  
この場合、この下側の環状の径方向面８６は、外側の径方向カラー８４と、関連する下部キャップ４４の横方向上面８８との間の接触で漏れが生じないことを確実にすることを目的とするＯリング９０のための容器を有している。
【００３５】
制御カフ５６の駆動手段６２が、少なくともロック解除の方向で制御カフ５６に軸方向に摺動可能に接続されているピストン９２が設けられている、空気圧式のもしくは液圧式のジャッキを有していれば、好都合である。  
この場合、このピストン９２は、制御カフ５６と同心状でこの制御カフに対して外部にある管状のカフからなっている。  
ピストン９２は、その凹面の軸方向壁に、ピストン９２が軸方向上方に移動されるときに、制御カフ５６をピストン９２により駆動することができるように、制御カフ５６の関連する径方向支持面８０に軸方向に支持されることを目的とし、上を向いている、内側の径方向面９４を有している。  
この場合、径方向支持面８０は、制御カフ５６の外側の径方向カラー７０の下部の径方向面により形成されている。  
ピストン９２は、その凸面の軸方向壁に、下を向いており、また、ニップル２２の本体４６に配置されている対向する径方向支持面９８で、このピストン９２の制御チャンバ１００を軸方向に規定している外側の径方向肩部９６を有している。
【００３６】
この場合、ニップル２２の本体４６は、圧力源（図示されていない）に接続されている圧縮空気供給ダクト１０２を有している。この結果、制御チャンバ１００の内部の増加した圧力によりピストン９２は上方に摺動する。こうして、制御カフ５６は、そのロック解除位置へと摺動させられる。  
ピストン９２の軸方向のストロークは、非常に小さく、従って、制御カフ５６の軸方向のストローク、例えば、２．５ｍｍのオーダー、は非常に小さくなりうることが明記される。
【００３７】
支持カフ５０、ボール５４、制御カフ５６、ばね６４、ねじ７２及びＯリング９０は、代替可能なサブ組立体１０１を形成するように、あらかじめ組み立てられており、この結果、このサブ組立体を、カバー３２の下部キャップ４４に１つの操作で取り付けることができるならば好都合である。  
この目的のために、下部キャップ４４は、ニップル２２の本体４６の中に同心状に通じている円筒状の容器１０３を有している。  
代替可能なサブ組立体１０１は、下部キャップ４４の容器１０３の中へと軸方向に上から下向きに、支持カフ５０の外側の径方向カラー８４が、この下部キャップ４４の横方向上面８８に軸方向に支持されるまで、挿入される。  
代替可能なサブ組立体１０１は、上部キャップ４２の一部である支持面と、下部キャップ４４の横方向上面との間に軸方向にクランプされて取りつけられる。
【００３８】
本発明によるニップル２２を備えている接続手段２８を、これから説明する。  
この接続手段２８は、カートリッジ１０４と称される取り外し可能で、容器１２のネックと同心状の管状の形状を有するサブ組立体からなる。  
このカートリッジ１０４は、接続部１０６と称され、ポンプチャンバ３１の内部を延び、径方向の複数のポート１０８を設けられている、軸方向部分を有している。  
このポンプチャンバ３１は、これら径方向のポート１０８のみを介してカートリッジ１０４の内部と連通し、各ポート１０８の呼び寸法の結果、処理中に、容器１２の内側で放射されたマイクロ波がポンプチャンバ３１に向かって拡散することを防止することができる。
【００３９】
カートリッジ１０４は、管状の本体１０５を有し、この場合、この本体の軸方向下部部分は、接続部１０６を形成している。  
この場合、図示されている実施形態によれば、この接続部１０６は、２つの対角線上で対向し、この接続部の軸方向の壁で切り出されている窓１１０を有している。  
各窓１１０は、２つの軸方向のピラーにより周方向に規定され、２つの径方向のリム１１６、１１８により軸方向に規定されている。  
各窓１１０は、径方向のポート１０８が配置されている軸方向の壁部材１２０を取り付けることにより閉じられている。  
この場合、この取り付けられた軸方向の壁部材１２０は、接続部１０６と同心状で、一体に形成され、２つの窓１１０を閉じるようにカートリッジ１０４に軸方向に挿入されている孔が穿たれたカフ１２０からなる。  
この孔が穿たれたカフ１２０は、軸方向の面全体にわたって延びている多数の同一の径方向のポート１０８を有している。  
この孔が穿たれたカフ１２０は、例えば、金属から製造される。
【００４０】
各径方向のポート１０８の通過断面積の呼び寸法と、孔が穿たれたカフ１２０の径方向の厚さとは、処理中に容器１２の内側で放射されるマイクロ波が、ポンプ回路３０、特にポンプチャンバ３１に向かって拡散することを防止する一方、同時に真空ポンプを行っている間の圧力の損失を最小にするように選択されていることに留意されたい。
【００４１】
カートリッジ１０４は、接続部１０６の軸方向下端１２４に軸方向に圧力嵌めされている管状のスペーサ１２２を有している。  
このスペーサ１２２は、容器１２の口のふち１６と、カートリッジ１０４の本体１０５との間に軸方向に入れられている。  
このスペーサ１２２の軸方向下端には、カートリッジ１０４と容器１２との間の漏れが生じない接続を形成することを目的としている管状の封止部１２８が設けられている。
【００４２】
カートリッジ１０４がカバー３２に取り付けられている場合に、管状の封止部１２８が支持カフ５０の内側の肩部５９と、容器１２の口のふち１６とに、軸方向に漏れが生じないように支持されるならば、好都合である。
【００４３】
この場合、図示されている実施形態によれば、カートリッジ１０４の本体１０５は、連結部１３０と称され接続部１０６から上方に延びている、軸方向上端部分を有している。  
この連結部１３０は、中実な軸方向壁を有し、処理中に容器１２にアセチレンを注入することを目的とする注射器１３２のボディと、この連結器の軸方向の自由端で漏れが生じないように接触している。
【００４４】
カートリッジ１０４は、連結部１３０の凹面の軸方向壁に接して配置され、この連結器１３０の軸方向の長さ全体に実質的に延びている円筒状のスリーブ１３４を有している。
【００４５】
この場合、図示されている実施形態によれば、この円筒状のスリーブ１３４は、下に向けられ連結部１３０の軸方向上端の近くに配置されている、関連する径方向面１３６に軸方向に当接して取りつけられている。
【００４６】
孔を穿たれたカフ１２０は、上部では、円筒状のスリーブ１３４の軸方向下端により、下部では、スペーサ１２２の軸方向上端により、カートリッジ１０４の内側に軸方向に保持されている。
【００４７】
連結器１３０には、カートリッジ１０４がカバー３２に取り付けられている時に、カバー３２の横方向上面に漏れが生じないように軸方向に支持される、外側の径方向カラー１３８が設けられている。
【００４８】
この場合、カートリッジ１０４は、カバー３２の相補的な円筒状の容器１４２に軸方向に上から下方に挿入されることを目的としている。  
この円筒状の容器１４２は、把持手段２６の支持カフ５０を受容することを目的としている容器１０３に軸方向に当接するように、キャップ４２に配置されている孔からなる。
【００４９】
カバー３２には、図２に示されているロックされた角度位置と、図１及び図６に示されている開放された角度位置との間を、横方向軸Ａ３を中心として回動可能に取りつけられているフォーク１４６を備えているロック部材１４４が備えられている。  
このフォーク１４６は、ロックされた位置で横方向平面を延び、カートリッジ１０４の連結部１３０の外形にほぼ相補的なノッチを規定するほぼＵ字形状を有している。  
フォーク１４６の横方向下面には、ロックされた位置で、ほぼ垂直下向きに延び、連結部１３０の外側の径方向カラー１３８の径方向上面に軸方向に支持されることを目的とする２つの横方向面をそれぞれ軸方向下端で形成している、２つのスタッド１４８が設けられている。  
この場合、これらスタッド１４８は、フォーク１４６の自由端の近くに配置されている。
【００５０】
各スタッド１４８は、フォーク１４８の横方向下面にねじ込まれ、支持面を形成している頭部を有しているねじからなれば、好ましい。  
この結果、外側の径方向カラー１３８への、このフォーク１４６の支持面の高さを、スタッド１４８を形成している各ねじを多く又は少なくねじ込むことにより正確に設定することができる。
【００５１】
ロック部材１４４には、その２つの角度位置の間のフォーク１４６の回動を制御するレバー１５０が備えられている。
【００５２】
本発明に係る処理機械１０を備えている把持手段２６と、接続手段２８とは、以下のように機能する。  
上で説明したように、代替可能なサブ組立体１０１は、制御カフ５６をボール５４、ばね６４及びねじ７２と共に支持カフ５０に組み立てることにより形成されている。  
同様に、カートリッジ１０４を形成している部材、すなわち、このカートリッジの本体１０５と、円筒状のスリーブ１３４と、孔を穿たれたカフ１２０と、これを備えている封止部とがあらかじめ組立てられている。
【００５３】
カバー３２の下部キャップ４４は、図１と図５に示されているように代替可能なサブ組立体１０１を関連する容器１０３に上から下方に軸方向に挿入することが可能となるように、下部キャップの軸Ａ２を中心として下方に回動させることにより開く。
【００５４】
カバー３２が、その高い搬送位置を取っているときに、操作が実行される。  
この場合、下部キャップ４４を、この下部キャップを上部キャップ４２に対して上方に回動させることにより、再び閉じることができ、この結果、代替可能なサブ組立体１０１が、この後、図２、図３、及び図４に示されているように下部キャップ４４と上部キャップ４２との間に軸方向にクランプされる。
【００５５】
ロック部材１４４がその開放位置を取っていると、連結部１３０の外側の径方向カラー１３８が上部キャップ４２のカバー３２の横方向上面１４０に軸方向に支持されるまで、カートリッジ１０４が、関連する容器１４２に上から下方に軸方向に挿入される。
【００５６】
制御レバー１５０を作用させると、結果として、図２に示されているように、フォーク１４６をそのロックされた位置に向けて回動させ、この結果、カートリッジ１０４をその取り付け位置に阻止する。
【００５７】
カートリッジ１０４の取り付け位置では、スペーサ１２２の軸方向下端１２６を備えている環状の封止部１２８は、代替可能なサブ組立体１０１の支持カフ５０の内側の肩部５９に漏れが生じないように軸方向に支持されることに留意されたい。
【００５８】
それから、注射器１３２のボディを、図４に示されているように、カートリッジ１０４の連結部１３０の軸方向上端に、漏れが生じないように軸方向に支持されるように、軸方向下方に移動させることができる。  
図示を簡単にするために、注射器１３２の部材は、他の図には図示されていないことに留意されたい。
【００５９】
この段階で、把持手段２６と接続手段２８とがカバー３２に取り付けられ、これらは、作動する用意が整った。  
容器１２を把持する段階は、以下のように進む。  
把持される容器１２が、例えば供給ホイール（図示されていない）により、図３に示されているようにニップル２２の軸方向下方に位置する。
【００６０】
制御カフ５６は、容器１２のネック１４を支持カフ５０に挿入することができるように、図３に示されているように、その把持位置からその開放位置まで、ピストン９２により制御される。
【００６１】
制御手段（図示されていない）により、容器１２のネック１４が支持カフ５０の円筒状の軸方向下端部分５３の内側に軸方向に受容されるまで、カバー３２が軸方向下方に摺動される。
【００６２】
ピストン９２の制御チャンバ１００内の圧力が緩和されると、制御カフ５６は、ばね６４の作用によりそのロック位置に向かって駆動され、この結果、図４に示されているように、ボール５４に径方向にこれらボールの把持位置に向けて圧力をかけ、容器１２のネック１４の軸方向壁に接触させる。
【００６３】
ボール５４が第１の外側の径方向カラー１８に径方向に支持されると、容器１２は、わずかに上方に圧力がかけられ、この結果、口のふち１６は、スペーサ１２２を備える環状の封止部１２８に十分接触して漏れを生じないように軸方向に支持される。
【００６４】
この段階で、容器１２は、把持手段２６により捉えられ、この結果、容器１２を処理することを可能とするために、筐体３４に容器１２を軸方向に導入するように、カバー３２が、このカバーの軸方向下向きに摺動することを続けることを可能としている。
【００６５】
カバー３２は、図４に示されている軸方向の処理位置まで下がり、この処理位置では、ニップル２２が処理筐体３４を漏れが生じないように閉じている。  
この軸方向の処理位置では、容器１２の処理が開始できるので、容器１２の内部の真空ポンプにより排気を開始することができる。
【００６６】
この容器１２の処理の後で、カバー３２は、その高い搬送位置に向けて摺動するように制御され、制御カフ５６は、その開放位置へと制御され、処理された容器１２が機械から排出されることを可能とする。  
それから、把持手段２６とカバー３２とを、上述されたのと同じように、処理される新しい容器１２を捉えるように制御することができる。
【００６７】
容器１２を処理している間、処理筐体３４の内側で放射されるマイクロ波により、カートリッジ１０４の内側軸方向面に炭素が堆積される。
【００６８】
接続部１０６と、孔が穿たれたカフ１２０とのために、マイクロ波の場は、カートリッジ１０４の内側に閉じ込められ、この結果、炭素がポンプチャンバ３１に堆積されることが防止される。
【００６９】
特定の数の容器１２を処理した後で、炭素の堆積を繰り返し経た面を清浄にすることができるように、カートリッジ１０４を取り外すことができる。
【００７０】
本発明に係る機械１０では、注射器１３２のボディを軸方向上方に摺動させ、フォーク１４６をその開放位置に向けて回動させれば十分なので、カートリッジ１０４を取り外すことは容易とされている。注射器１３２のボディも洗浄を必要としている。それから、カートリッジ１０４を手で取り外すことができ、同時に容易に置き換えることができる。
【００７１】
使用されたカートリッジ１０４を機械１０が動作している間に同時に洗浄することができるように、代替のカートリッジ１０４を供給することができれば、好都合である。
【００７２】
カートリッジ１０４の内側の炭素の堆積は、上方に向けて指数関数的に減少することに留意されたい。この結果、炭素の堆積は、スペーサ１２２の凹面の軸方向面に主に集中している。  
この結果、カートリッジ１０４を洗浄することを、スペーサ１２２とその環状の封止部１２８とを洗浄することに低減することができる。
【００７３】
本発明による把持手段２６は、これら把持手段が、いかなる炭素の堆積も経ないようにマイクロ波の場の外側に配置されているという好都合な点がある。
【００７４】
制御カフ５６の駆動手段６２が、ニップル２２の本体４６に取り付けられており、本体それ自身は、カバー３２の下部キャップ４４に固定されているために、代替可能なサブ組立体１０１を駆動手段６２を取り外す必要なく、取り外すことができる。  
この結果、複数の代替可能なサブ組立体１０１を、駆動手段６２並びに／もしくはニップル２２の本体４６を変更する必要なく、容器１２のネック１４の形状に応じて供給することができる。  
さらに、この代替可能なサブ組立体１０１を交換する操作は、カバー３２の下部キャップ４４を下方に傾ければよいため、特に簡単である。
【００７５】
本発明に係る把持手段２６により、処理される容器１２の形状に応じて処理ステーション１１に個性を与えることが可能となる。
【００７６】
ニップル２２には、容器１２の中を真空ポンプで確実に排気し、処理筐体３４を漏れが生じないように確実に閉鎖するために、全てが参照符号により指示されてはいなかった複数の封止部が設けられていることに留意されたい。
【００７７】
カバー３２に配置されている近接センサ（図示されていない）が、制御カフ５６が把持位置又は開放位置に制御される必要がある時にモーメントを検出するならば、好ましい。この近接センサを制御チャンバ１００内の圧力を制御する電磁弁に電気的に接続することができ、この結果、処理ステーション１１又は機械１０の制御ユニットを経ることなく、この近接センサにより直接、把持手段２６を制御することが可能である。
【００７８】
本発明に係る把持手段２６により、制御カフ５６をロック位置に保持するために保持力を印加する必要がない。これは、この位置は、ばね６４の作用のために停止した安定位置に対応するからである。
【００７９】
さらに、本発明に係る機械１０においては、容器１２を開放し捉えるために、容器に力をかける必要がない。
【図面の簡単な説明】
【００８０】
【図１】カバーがフレームに対して軸方向の高い搬送位置を取っているときの、本発明に係る機械の処理ステーションを概略的に示す、軸方向部分断面分解図である。
【図２】容器が把持手段により捉えられ処理筐体の中に部分的に導入されているときの、軸方向の中間位置のカバーを概略的に示している、図１に類似の図である。
【図３】把持手段が容器のネックを捉える用意ができたときの、カバーを部分的に示す、軸方向断面図である。
【図４】カバーがその低い処理位置を取り、処理筐体を閉じており、容器が把持手段により捉えられているときの、カートリッジとアセチレン注射器とを備えているカバーを部分的に示す軸方向断面図である。
【図５】下方に傾けられた位置にある、カバーの下部キャップを部分的に示す斜視図である。把持手段を形成しているサブ組立体が、部分的に容器にはめ込まれている。
【図６】カートリッジを取り付ける前の、カバーの上部キャップを部分的に示す斜視図である。カートリッジのロック部材は、その開放位置を取っている。
【図１】
2008508422.tif 000003
【図２】
2008508422.tif 000004
【図３】
2008508422.tif 000005
【図４】
2008508422.tif 000006
【図５】
2008508422.tif 000007
【図６】
2008508422.tif 000008
【国際調査報告】
2008508422.tif 000009
2008508422.tif 000010
2008508422.tif 000011
2008508422.tif 000012